(57)【特許請求の範囲】
【請求項１】
管状の基礎杭を地面上に立設する設置工程と、
前記基礎杭の上端の開口内に、前記開口よりも小さな幅を持つ幅狭部を下方に有すると共に前記開口よりも大きな幅の幅広部を前記幅狭部の上方に有する打ち込み部材の前記幅狭部を前記幅広部が前記基礎杭の上端に引っ掛かるまで挿入する挿入工程と、
前記基礎杭の上端に引っ掛かった状態の前記幅広部を前記基礎杭の上端に押し付けることにより前記基礎杭を該基礎杭の上端が地面から突き出るように地面に打ち込む打ち込み工程と、
前記突き出た基礎杭の上端の開口にキャップを被せるキャップ工程とを含む基礎杭の設置方法であって、
前記キャップには、前記基礎杭の上端の開口に被せられた状態で、前記基礎杭の内部と連通する貫通孔が形成されている
基礎杭の設置方法。
【請求項２】
前記打ち込み部材の幅広部は、前記開口よりも大きな幅を持つ板材から構成され、
前記打ち込み部材の幅狭部は、前記開口よりも小さな幅を持ち、主面が前記幅広板材の主面と対向するように配置された板材から構成され、
前記打ち込み部材は、さらに、前記幅狭板材と前記幅広板材とを連結する棒材を有し、
前記棒材の長さは、前記基礎杭の長さより短く、
前記棒材の最大径は、前記幅狭板材の幅より小さい
請求項１に記載の基礎杭の設置方法。
【請求項３】
前記幅広部の前記基礎杭の上端に引っ掛かり当接する部分は、樹脂より構成されている
請求項１又は２に記載の基礎杭の設置方法。
【請求項４】
前記キャップには、光を反射する反射体が取り付けられている
請求項１〜３いずれか１項に記載の基礎杭の設置方法。
【発明の詳細な説明】
【技術分野】
【０００１】
本発明は、フェンス、看板、標識等の設置物の支柱を地面に立設するための基礎杭の埋設置方法に関する。
【背景技術】
【０００２】
従来から、フェンス、看板、標識等の設置物を地面に設置する際は、地面に基礎が埋設され、その基礎に設置物の支柱が挿入されて設置物の支柱が地面に立設される。
基礎の設置方法としては、支柱が挿入される支柱固定用孔を上面に有するコンクリートブロックを埋設する方法（例えば、特許文献１参照）があるが、この方法では、地面を大きく掘削して穴を形成する必要があり、手間が掛かるという問題がある。
このような問題に対し、金属製の管状の基礎杭を地面に打ち込む方法がある（例えば、特許文献２参照）。
【先行技術文献】
【特許文献】
【０００３】
【特許文献１】特開２００６−２９９５３０号公報
【特許文献２】特開２０００−６４３０６号公報
【発明の概要】
【発明が解決しようとする課題】
【０００４】
しかしながら、特許文献２に開示されている従来の基礎杭の打ち込みにおいては、管状の基礎杭が地中の深くに侵入するに従ってその基礎杭の底部から管内部に地中の土が侵入してくる。従って、基礎杭を地面に打ち込んだ後で管内に支柱を挿入する前に、管内の土を除去する必要があり、手間が掛かってしまうという問題がある。
そこで、本発明は、かかる問題点に鑑み、容易に基礎を設置することが可能な基礎杭の設置方法を提供することを目的とする。
【課題を解決するための手段】
【０００５】
上記目的を達成するために、本発明の一態様に係る基礎杭の設置方法は、管状の基礎杭を地面上に立設する設置工程と、前記基礎杭の上端の開口内に、前記開口よりも小さな幅を持つ幅狭部を下方に有すると共に前記開口よりも大きな幅の幅広部を前記幅狭部の上方に有する打ち込み部材の前記幅狭部を前記幅広部が前記基礎杭の上端に引っ掛かるまで挿入する挿入工程と、前記基礎杭の上端に引っ掛かった状態の前記幅広部を前記基礎杭の上端に押し付けることにより前記基礎杭を該基礎杭の上端が地面から突き出るように地面に打ち込む打ち込み工程と、前記突き出た基礎杭の上端の開口にキャップを被せるキャップ工程とを含む基礎杭の設置方法であって、前記キャップには、前記基礎杭の上端の開口に被せられた状態で、前記基礎杭の内部と連通する貫通孔が形成されていることを特徴とする。
【０００６】
ここで、前記打ち込み部材の幅広部は、前記開口よりも大きな幅を持つ板材から構成され、前記打ち込み部材の幅狭部は、前記開口よりも小さな幅を持ち、主面が前記幅広板材の主面と対向するように配置された板材から構成され、前記打ち込み部材は、さらに、前記幅狭板材と前記幅広板材とを連結する棒材を有し、前記棒材の長さは、前記基礎杭の長さより短く、前記棒材の最大径は、前記幅狭板材の幅より小さいものであってもよい。
【０００７】
また、前記幅広部の前記基礎杭の上端に引っ掛かり当接する部分は、樹脂より構成されているものであってもよい。
【０００９】
また、前記キャップには、光を反射する反射体が取り付けられているものであってもよい。
【発明の効果】
【００１１】
本発明によれば、容易に基礎を設置することが可能な基礎杭の設置方法を実現することができる。
【図面の簡単な説明】
【００１２】
【図１】本発明の第１の実施形態に係る基礎杭の設置方法を説明するための斜視図である。
【図２】本発明の第１の実施形態に係る基礎杭の設置方法を説明するための斜視図である。
【図３】本発明の第２の実施形態に係る基礎杭の設置方法を説明するための斜視図である。
【図４】本発明の実施形態に係る基礎杭の設置方法の変形例を説明するための斜視図である。
【発明を実施するための形態】
【００１３】
以下、本発明の実施形態について、図面を用いて詳細に説明する。
【００１４】
（第１の実施形態）
本発明の第１の実施形態に係る基礎杭の設置方法について、図１及び図２を用いて説明する。
【００１５】
図１及び図２は、本実施形態に係る基礎杭の設置方法を説明するための図である。
最初に、図１（ａ）に示されるように、地面２０における基礎を設置する箇所の上に円管状の基礎杭３１を立設すると共に、基礎杭３１の上方に打ち込み部材１０を配置する。
ここで、打ち込み部材１０は、基礎杭３１の上端の円形状の開口３３の幅（直径）Ｄ１よりも小さな幅（直径）Ｄ２の幅狭部１２を下端に有すると共に開口３３よりも大きな幅（直径）Ｄ３の幅広部１１を幅狭部１２の上方に有する治具である。幅狭部１２及び幅広部１１は共に円盤状の板材であり、主面が平行になるように配置された状態で連結されている。
【００１６】
また、打ち込み部材１０は、さらに、幅狭部１２及び幅広部１１の間に配置され、幅狭部１２及び幅広部１１の重心同士を連結する棒材１３と、幅広部１１の上方に配置され、下端が幅広部１１と連結された棒材１４とを有している。棒材１３は、幅狭部１２の幅Ｄ２と比較して更に小さい径を持つため、幅狭部１２と共に基礎杭３１の上端の開口３３内に挿入可能である。棒材１４は、打ち込み部材１０を所定の位置に配置する際に、作業者が手で掴む把持部である。なお、棒材１３及び１４は、別々の棒材ではなく、幅広部１１を貫通する１つの棒材とされてもよい。
【００１７】
次に、図１（ｂ）に示されるように、基礎杭３１の上端の開口３３内に、打ち込み部材１０の幅狭部１２及び棒材１３を挿入し、幅広部１１の周縁が基礎杭３１の上端に引っ掛かるまで下方に向かって押し入れる。この引っ掛かった状態では、幅広部１１の下面が基礎杭３１上端の開口端面に当接して基礎杭３１の上端の開口３３が幅広部１１で蓋されている。そして、幅狭部１２は、基礎杭３１の下端の開口から突き出ることなく基礎杭３１内に位置し、基礎杭３１内の空間を上部空間及び下部空間の２つに隔てている。
【００１８】
次に、図１（ｃ）及び図１（ｄ）に示されるように、打ち込み部材１０の棒材１４の上端をハンマー等の工具３０により下方に向けて叩いて、打ち込み部材１０の幅広部１１を基礎杭３１上端の開口端面に押し付けることにより、基礎杭３１を地面２０に押し付けて打ち込む。そして、基礎杭３１の上端部３２が少しだけ地面２０から突き出た状態となったときに（図１（ｄ））、基礎杭３１の打ち込みを終える。なお、幅広部１１を把持して打ち込み部材１０を所定の位置に配置できる場合、打ち込み部材１０に棒材１４は設けられなくてもよく、この構成においては工具３０により幅広部１１の上面が叩かれて基礎杭３１の打ち込みが行われる。
【００１９】
ここで、基礎杭３１の打ち込みにおいて、基礎杭３１が地中の深くに侵入するにしたがって基礎杭３１の下端の開口より地中の土が基礎杭３１内に徐々に侵入していく。しかしながら、図１（ｃ）に示されるように、地中の土が幅狭部１２まで侵入すると、侵入した土を幅狭部１２が下方に押さえ付けるため、地中の土はこれ以上基礎杭３１内に侵入しなくなる。その結果、図１（ｄ）に示されるように、地面２０への打ち込みが終了した基礎杭３１において、基礎杭３１内の幅狭部１２で隔たれた下部空間及び上部空間のうち下部空間は全て地面２０より下方に位置して地中の土で充填される一方、上部空間は一部が地面２０より下方に位置して地中の土で充填されない。
また、基礎杭３１の打ち込みにおいて、打ち込み部材１０の幅広部１１は、基礎杭３１上端の開口端面に強く押し付けられる。従って、この押し付けにより大きな打撃音が発生したり、基礎杭３１上端の開口端面が損傷を受けたりしないよう、幅広部１１の基礎杭３１上端の開口端面と当接する下面は、樹脂等の弾性や可撓性を有する軟性の材料により構成されることが好ましい。
【００２０】
次に、図２（ａ）及び図２（ｂ）に示されるように、基礎杭３１内から打ち込み部材１０を引き抜いた後、基礎杭３１の地面２０から突き出た上端部３２に、上方から被せるようにキャップ４１を嵌め込む。
【００２１】
ここで、キャップ４１は、リング状の円板とその外周縁から垂下する垂下片とから構成されるキャップであり、円板が基礎杭３１上端の開口端面上に接して位置すると共に、垂下片が基礎杭３１の上端部３２の外周面上に接して位置するように基礎杭３１に嵌め込まれる。これにより、打ち込み部材１０の幅広部１１に押し付けられて損傷し易い基礎杭３１上端の開口端面をキャップ４１により被覆し、雨水等により基礎杭３１上端の開口端面に錆が発生することを抑制することができる。
【００２２】
また、キャップ４１の垂下片の外面には、光を反射する反射体４３が垂下片の周方向に沿って複数取り付けられている。これにより、基礎杭３１の上端部３２の位置の認識を容易にし、基礎杭３１内への支柱４２の挿入を容易にすることができる。また、支柱４２の挿入後は、支柱４２の存在が明確となり、支柱４２に衝突する等の事故の発生を抑制することができる。
【００２３】
次に、図２（ｃ）に示されているように、基礎杭３１内の上部空間と基礎杭３１外の外部空間とを連通するキャップ４１の平面視略円形の貫通孔４１ａを介して、基礎杭３１内の上部空間内に設置物の支柱４２が挿入される。
【００２４】
次に、図２（ｄ）に示されているように、キャップ４１の貫通孔４１ａを介して基礎杭３１内の上部空間に、支柱４２と基礎杭３１の内壁との間の隙間（空洞）を埋めるように液状のセメントモルタル等の充填剤を流し込み、基礎杭３１内の上部空間を充填剤で充填する。この上部空間に充填された充填剤を硬化させることにより、支柱４２を地面２０に強固に立設することができる。なお、基礎杭３１内の上部空間への充填剤の充填時期については、基礎杭３１内から打ち込み部材１０が引き抜かれた後であれば、どのタイミングで行われてもよい。
【００２５】
以上のように本実施形態の基礎杭３１の設置方法は、管状の基礎杭３１を地面２０上に立設する設置工程（図１（ａ））を含む。基礎杭３１の設置方法は、さらに、基礎杭３１の上端の開口３３内に、開口３３の幅Ｄ１よりも小さな幅Ｄ２を持つ幅狭部１２を下方に有すると共に開口３３よりも大きな幅Ｄ３の幅広部１１を幅狭部１２の上方に有する打ち込み部材１０の幅狭部１２を幅広部１１が基礎杭３１の上端に引っ掛かるまで下方に挿入する挿入工程（図１（ｂ））を含む。基礎杭３１の設置方法は、さらに、基礎杭３１の上端に引っ掛かった状態の幅広部１１を基礎杭３１の上端に押し付けることにより基礎杭３１を地面２０に打ち込む打ち込み工程（図１（ｃ）及び図１（ｄ））を含む。
【００２６】
この構成により、基礎杭３１の地面２０への打ち込みにおいて、基礎杭３１内に侵入する土は基礎杭３１内の幅狭部１２により押さえ付けられるため、基礎杭３１の打ち込みが終わった後でも基礎杭３１内の上部に土で充填されない空間を形成することができる。従って、基礎杭３１内への支柱４２の挿入に先立ち、土で充填されず支柱４２が挿入可能な空間を確保するため基礎杭３１内の土を除去する必要がない。その結果、容易に基礎を設置することが可能な基礎杭３１の設置方法を実現することができる。
【００２７】
また、本実施形態の基礎杭３１の設置方法では、打ち込み部材１０の幅広部１１は、開口３３の幅Ｄ１よりも大きな幅Ｄ３を持つ板材から構成される。そして、打ち込み部材１０の幅狭部１２は、開口３３の幅Ｄ３よりも小さな幅Ｄ２を持ち、主面が幅広部１１の板材の主面と対向するように配置された板材から構成される。そして、打ち込み部材１０は、さらに、幅狭部１２の板材と幅広部１１の板材とを連結する棒材１３を有し、棒材１３の長さは、基礎杭３１の長さＤ４より短く、棒材１３の最大径は、幅狭部１２の板材の幅Ｄ２より小さい。
【００２８】
この構成により、基礎杭３１の上端に引っ掛かる部分としての幅広部１１と、基礎杭３１内に侵入する土を押さえ付ける部分としての幅狭部１２とが径の小さな棒材１３により連結される。従って、基礎杭３１内に挿入された状態において棒材１３と基礎杭３１の内面との間に大きな隙間を形成することができる。その結果、基礎杭３１の地面２０への打ち込みにおいて、打ち込み部材１０と基礎杭３１の内面との間に多少土が入った場合でも、土を棒材１３と基礎杭３１の内面との隙間に逃がして、打ち込み終了後に基礎杭３１から容易に打ち込み部材１０を引き抜くことができる。また、打ち込み部材１０の軽量化を実現することもできる。
【００２９】
また、本実施形態の基礎杭３１の設置方法では、幅広部１１の基礎杭３１の上端に引っ掛かり当接する部分は、樹脂より構成されている。
【００３０】
この構成により、基礎杭３１の打ち込みにおいて幅広部１１は基礎杭３１上端の開口端面に強く押し付けられるが、幅広部１１が樹脂という軟性の材料で構成されるため、大きな打撃音が発生したり、基礎杭３１上端の開口端面が損傷を受けたりすることを抑制することができる。
【００３１】
また、本実施形態の基礎杭３１の設置方法では、打ち込み工程（図１（ｃ）及び図１（ｄ））において、基礎杭３１の上端が地面２０から突き出るように、基礎杭３１を地面２０に打ち込む。そして、基礎杭３１の設置方法は、さらに、突き出た基礎杭３１の上端の開口３３にキャップ４１を被せるキャップ工程（図２（ａ）及び図２（ｂ））を含む。
【００３２】
この構成により、基礎杭３１の打ち込みにおいて打ち込み部材１０の幅広部１１により押し付けられ損傷し易い基礎杭３１上端の開口端面をキャップ４１により被覆し、雨水等により基礎杭３１上端の開口端面に錆が発生することを抑制することができる。その結果、基礎杭３１として鋼管メーカでメッキされた鋼管等の低コストのものを使用することができる。
【００３３】
また、本実施形態の基礎杭３１の設置方法では、キャップ４１には、光を反射する反射体が取り付けられている。
【００３４】
この構成により、基礎杭３１の開口３３に取り付けられたキャップ４１の一部が光を発することにより、作業者が基礎杭３１の上端の位置を認識することを容易にし、基礎杭３１内への支柱４２の挿入が容易な基礎杭３１の設置方法を実現することができる。また、支柱４２の挿入後は、支柱４２の存在が明確となり、支柱４２に衝突する等の事故の発生を抑制することができる。
【００３５】
また、本実施形態の基礎杭３１の設置方法では、キャップ４１には、基礎杭３１の上端の開口３３に被せられた状態で、基礎杭３１の内部と連通する貫通孔４１ａが形成されている。
【００３６】
この構成により、キャップ４１の貫通孔４１ａに支柱４２を挿通させて基礎杭３１内に支柱４２を挿入することができるので、キャップ４１を取り付けた後でも基礎杭３１内への支柱４２の挿入を行うことができる。その結果、キャップ４１の取り付け工程と支柱４２の挿入工程との工程順の変更が可能となり、工程順の自由度の高い基礎杭３１の設置方法を実現することができる。
【００３７】
（第２の実施形態）
本発明の第２の実施形態に係る基礎杭３１の設置方法について、図３を用いて説明する。以下、第１の実施形態の基礎杭３１の設置方法と異なる点を中心に説明する。
【００３８】
図３は、本実施形態に係る基礎杭３１の設置方法を説明するための図である。
本実施形態に係る基礎杭３１の設置方法は、キャップの構成及びキャップの基礎杭３１への取り付け方法が第１の実施形態と異なるが、基礎杭３１の地面２０への打ち込みに至るまでの工程（図１（ａ）〜図１（ｄ））については第１の実施形態と同様である。
【００３９】
最初に、図１（ａ）〜図１（ｄ）に示されるように、打ち込み部材１０を基礎杭３１内に挿入し、工具３０で叩いて基礎杭３１を地面２０に打ち込む。
【００４０】
次に、図３（ａ）及び図３（ｂ）に示されるように、基礎杭３１内から打ち込み部材１０を引き抜いた後、基礎杭３１内の上部空間を充填剤で充填する。その後、基礎杭３１の地面２０から突き出た上端部３２の左右に、半割キャップ５１及び５２を挟み込むように対向させて配置した後、上端部３２の左側に半割キャップ５１を左方から嵌め込むと共に上端部３２の右側に半割キャップ５２を右方から嵌め込む。これにより、基礎杭３１の上端部３２に、半割キャップ５１及び５２を組み合わせて構成されるキャップ５３が嵌め込まれる。
【００４１】
ここで、半割キャップ５１は、半円板とその弧状の外周縁から垂下する垂下片とから構成され、その半円板の直線状の外周縁には切り欠き５１ａが形成されている。この半割キャップ５１は、その半円板が基礎杭３１上端の開口端面上に接して位置すると共に、その垂下片が基礎杭３１の上端部３２の左側の外周面上に接して位置するように基礎杭３１の左側に嵌め込まれる。半割キャップ５１の垂下片の外面には、光を反射する反射体５４がその垂下片の周方向に沿って複数取り付けられている。
【００４２】
また、半割キャップ５２は、半割キャップ５１と同様の形態を有し、半円板とその弧状の外周縁から垂下する垂下片とから構成され、その半円板の直線状の外周縁には切り欠き５２ａが形成されている。この半割キャップ５２も、その半円板が基礎杭３１上端の開口端面上に接して位置すると共に、その垂下片が基礎杭３１の上端部３２の右側の外周面上に接して位置するように基礎杭３１の右側に嵌め込まれる。半割キャップ５２の垂下片の外面には、光を反射する反射体５４がその垂下片の周方向に沿って複数取り付けられている。
【００４３】
また、キャップ５３は、図３（ｂ）に示されているように、半割キャップ５１及び５２を直線状の外周縁が互いに当接し、かつ外周縁の切り欠き５１ａ及び５２ａが互いに対向するように組み合わせて構成される。キャップ５３は、上部が蓋され、下部が開口された円筒状のキャップであり、キャップ５３の上部の蓋には、２つの切り欠き５１ａ及び５２ａにより構成される貫通孔５３ａが形成されている。貫通孔５３ａは基礎杭３１に挿入される支柱４２の断面形状と略同じとされているため、支柱４２の挿入位置を貫通孔５３ａの位置に統一して作業者が異なることによる支柱４２の設置位置のバラつきが低減されている。キャップ５３により、打ち込み部材１０の幅広部１１に押し付けられて損傷し易い基礎杭３１上端の開口端面を被覆し、雨水等により基礎杭３１上端の開口端面に錆が発生することを抑制することができる。
【００４４】
次に、図３（ｃ）及び図３（ｄ）に示されているように、基礎杭３１内の上部空間と基礎杭３１外の外部空間とを連通するキャップ５３の貫通孔５３ａを介して、基礎杭３１内の上部空間内に設置物の支柱４２が挿入される。その後、上部空間に充填された充填剤を硬化させることにより、支柱４２を地面２０に強固に立設することができる。
【００４５】
以上のように本実施形態の基礎杭３１の設置方法は、第１の実施形態の基礎杭３１の設置方法と同様の理由により、容易に基礎を設置することが可能な基礎杭の設置方法を実現することができる。
【００４６】
また、本実施形態の基礎杭３１の設置方法では、キャップ５３は、半割キャップ５１及び５２に分割されている。
【００４７】
この構成により、基礎杭３１内に支柱４２を挿入した後でキャップ５３を取り付けることが可能となり、工程順の自由度の高い基礎杭３１の設置方法を実現することができる。
【００４８】
以上、本発明の基礎杭の設置方法について、実施形態に基づいて説明したが、本発明は、これらの実施形態に限定されるものではない。本発明の要旨を逸脱しない範囲内で当業者が思いつく各種変形を施したものも本発明の範囲内に含まれる。
【００４９】
例えば、本実施形態の基礎杭の設置方法では、打ち込み部材１０は、幅広部１１及び幅狭部１２が棒材１３により連結される構成を有するとしたが、棒材１３がなく、幅広部１１及び幅狭部１２が直接連結される構成を有してもよい。例えば、図４に示されるように、打ち込み部材１０において、幅広部１１及び幅狭部１２が上下方向に大きな厚みを有し、これらが直接連結されてもよい。
【００５０】
また、本実施形態の基礎杭の設置方法では、打ち込み部材１０の幅狭部１２は、円盤状であるとしたが、基礎杭３１の上端の開口１３の幅Ｄ１よりも小さな幅Ｄ２を有すれば、例えば矩形の板状であってもよい。同様に、打ち込み部材１０の幅広部１１は、円盤状であるとしたが、基礎杭３１の上端の開口１３の幅Ｄ１よりも大きな幅Ｄ３を有すれば、例えば矩形の板状であってもよい。
【産業上の利用可能性】
【００５１】
本発明は、支柱を地面に立設するための基礎杭の埋設置方法等において広く利用することができる。
【符号の説明】
【００５２】
１０    打ち込み部材
１１    幅広部
１２    幅狭部
１３、１４    棒材
２０    地面
３１    基礎杭
３２    上端部
３３    開口
４１、５３    キャップ
４１ａ、５３ａ    貫通孔
４２    支柱
４３、５４    反射体
５１、５２    半割キャップ
５１ａ、５２ａ    切り欠き
【図１】
0006558981.tif 000002
【図２】
0006558981.tif 000003
【図３】
0006558981.tif 000004
【図４】
0006558981.tif 000005